(57)【要約】【課題】録画装置において、アナログチューナを用いて受信したＴＶ番組を記録するときに、アナログチューナから番組情報を取得できない場合であっても、ユーザがＴＶ番組のタイトルを入力する手間を軽減する。【解決手段】ハードディスクレコーダ（録画装置）は、地上波アナログ放送を受信するアナログチューナと、地上波デジタル放送を受信するデジタルチューナと、ＴＶ番組を記録可能なＨＤＤとを備える。アナログチューナを用いて受信したＴＶ番組をＨＤＤに記録するときに、アナログチューナから番組情報を取得できるか否かを判断し（Ｓ１）、取得できない場合（Ｓ２でＮＯ）、デジタルチューナを用いて番組情報を取得できるか判断し（Ｓ４）、取得できる場合（Ｓ５でＹＥＳ）、番組情報を取得し（Ｓ６）、取得した番組情報に含まれるタイトルを取得する。【選択図】図３
2007312073.tif 000002
【特許請求の範囲】
【請求項１】
テレビジョン番組（以下、ＴＶ番組という）を記録可能なハードディスクと、
前記ＴＶ番組を含む地上波アナログ放送を受信するアナログチューナと、
前記ＴＶ番組を含む地上波デジタル放送を受信するデジタルチューナと、
前記アナログチューナを用いて前記ＴＶ番組のタイトルを含む番組情報を取得するアナログ番組情報取得手段と、
前記デジタルチューナを用いて前記ＴＶ番組のタイトルを含む番組情報を取得するデジタル番組情報取得手段と、
ユーザが装置各部の操作、及び前記ＴＶ番組のタイトルの入力を行うためのボタン等を有する操作手段と、
装置各部を制御する制御手段とを備えた録画装置において、
前記アナログ番組情報取得手段、又は前記デジタル番組情報取得手段により取得された番組情報の中から前記ＴＶ番組のタイトルを取得するタイトル情報取得手段と、
前記アナログチューナを用いて番組情報を取得できるか否かを判断するアナログ番組情報取得判断手段と、
前記デジタルチューナを用いて番組情報を取得できるか否かを判断するデジタル番組情報取得判断手段とをさらに備え、
前記制御手段は、
前記アナログチューナを用いて受信した前記ＴＶ番組を前記ハードディスクに記録するときに、前記アナログ番組情報取得判断手段を用いて、前記アナログチューナから番組情報を取得できるか否かを判断し、この判断の結果、取得できない場合には、前記デジタル番組情報取得判断手段を用いて、前記デジタルチューナから番組情報を取得できるか否かを判断し、
上記判断の結果、取得できる場合、前記デジタル番組情報取得手段を用いて番組情報を取得し、取得した番組情報から前記タイトル情報取得手段を用いて前記タイトルを取得し、取得した該タイトルを前記ハードディスクに記録する前記ＴＶ番組のタイトルとし、
上記判断の結果、取得できない場合、前記操作手段を用いてユーザにより入力されたタイトルを、前記ハードディスクに記録する前記ＴＶ番組のタイトルとすることを特徴とする録画装置。
【請求項２】
テレビジョン番組（以下、ＴＶ番組という）を記録可能なハードディスクと、
前記ＴＶ番組を含む地上波アナログ放送を受信するアナログチューナと、
前記アナログチューナを用いて前記ＴＶ番組のタイトルを含む番組情報を取得するアナログ番組情報取得手段と、
装置各部を制御する制御手段とを備え、
前記ＴＶ番組を含む地上波デジタル放送を受信するデジタルチューナを利用可能な録画装置において、
前記デジタルチューナを用いて前記ＴＶ番組のタイトルを含む番組情報を取得するデジタル番組情報取得手段と、
前記アナログ番組情報取得手段、又は前記デジタル番組情報取得手段により取得された番組情報の中から前記ＴＶ番組のタイトル情報を取得するタイトル情報取得手段と、
前記アナログチューナを用いて番組情報を取得できるか否かを判断するアナログ番組情報取得判断手段と、
前記デジタルチューナを用いて番組情報を取得できるか否かを判断するデジタル番組情報取得判断手段とをさらに備え、
前記制御手段は、
前記アナログチューナを用いて受信した前記ＴＶ番組を前記ハードディスクに記録するときに、前記アナログ番組情報取得判断手段を用いて、前記アナログチューナから番組情報を取得できるか否かを判断し、この判断の結果、取得できない場合には、前記デジタル番組情報取得判断手段を用いて、前記デジタルチューナから番組情報を取得できるか否かを判断し、
上記判断の結果、取得できる場合、前記デジタル番組情報取得手段を用いて番組情報を取得し、取得した番組情報から前記タイトル情報取得手段を用いて前記タイトルを取得し、取得した該タイトルを前記ハードディスクに記録する前記ＴＶ番組のタイトルとすることを特徴とする録画装置。
【請求項３】
ユーザが装置各部の操作、及び前記ＴＶ番組のタイトルの入力を行うためのボタン等を有する操作手段をさらに備え、
前記制御手段は、
前記アナログチューナを用いて受信した前記ＴＶ番組を前記ハードディスクに記録するときに、前記アナログ番組情報取得判断手段を用いて、前記アナログチューナから番組情報を取得できるか否かを判断し、この判断の結果、取得できない場合には、前記デジタル番組情報取得判断手段を用いて、前記デジタルチューナから番組情報を取得できるか否かを判断し、
上記判断の結果、取得できない場合、前記操作手段を用いてユーザにより入力されたタイトルを、前記ハードディスクに記録する前記ＴＶ番組のタイトルとすることを特徴とする請求項２に記載の録画装置。
【発明の詳細な説明】
【技術分野】
【０００１】
本発明は、ハードディスクレコーダ等の録画装置に関する。
【背景技術】
【０００２】
近年、テレビジョン（以下、ＴＶという）放送として、従来のアナログ放送に比べて高画質・高品質であるデジタル放送が推進されている。そのため、ＴＶ番組を録画可能なハードディスクレコーダ等の録画装置において、デジタル放送のＴＶ番組を受信することができるデジタルチューナを備えているものが普及している。しかし、地域によってはデジタル放送の導入時期が異なる等の理由があるため、録画装置は従来のアナログ放送によるＴＶ番組を受信することができるアナログチューナをさらに備えていることが多い。
【０００３】
また、従来からユーザは記録したＴＶ番組を識別するために、記録するＴＶ番組にタイトルを入力することが多い。これに対して、従来から、デジタルチューナ、又はアナログチューナを用いてＴＶ番組のタイトル等の情報を含むＥＰＧ等の番組情報を取得し、取得した番組情報からＴＶ番組のタイトルを取得して、記録するＴＶ番組のタイトルとする録画装置が知られている。
【０００４】
しかし、従来の録画装置では、アナログチューナを用いて受信したＴＶ番組を記録するときに、アナログチューナから番組情報を取得できない場合、デジタルチューナから番組情報を取得することができる場合であっても、デジタルチューナから取得した番組情報に含まれるＴＶ番組のタイトルを、記録するＴＶ番組のタイトルとすることができない。そのため、ユーザは、アナログチューナから番組情報を取得できない場合、ＴＶ番組の記録前、又は記録後にリモコン等を操作することにより手動でＴＶ番組のタイトルを入力する必要があり、手間がかかるという問題がある。
【０００５】
ところで、取得したＥＰＧデータに基いて、現在再生中のＴＶ番組の映像と、ＥＰＧデータの情報とを表示する表示画面を生成して表示する番組情報表示システムが知られている（例えば、特許文献１参照）。また、予め登録されているキーワードと、番組情報データとを照合し、キーワードが含まれる番組情報に対応したＴＶ番組を自動的に録画する録画装置が知られている（例えば、特許文献２参照）。
【０００６】
また、所望のＴＶ番組を自動的に複数に分割して記録することにより、記録されたＴＶ番組の編集や再生を行い易くするＴＶ番組受信装置が知られている（例えば、特許文献３参照）。また、番組情報を受信し、番組情報に記載されているＴＶ番組と、記載されていないＴＶ番組とを同一画面上に表示し、予約録画設定時のユーザインタフェースが簡単なＴＶ番組受信装置が知られている（例えば、特許文献４参照）。
【０００７】
また、録画予約情報と、番組情報に基くＴＶ番組の放送スケジュールとを比較して、相違する場合、相違内容を画面に表示し、ユーザに確実にＴＶ番組の放送スケジュールの変更を知らせるＴＶ番組録画システムが知られている（例えば、特許文献５参照）。
【０００８】
しかし、上記特許文献１乃至特許文献５に記載された発明では、上記問題を解決できない。
【特許文献１】特開２００６−０３３４１０号公報
【特許文献２】特開２００５−３０２１１７号公報
【特許文献３】特開２００５−１６７７８２号公報
【特許文献４】特開２００３−１９８９６１号公報
【特許文献５】特開２００３−０７８８５１号公報
【発明の開示】
【発明が解決しようとする課題】
【０００９】
本発明は、上述した問題点を解決するためになされたものであり、アナログチューナを用いて受信したＴＶ番組を記録するときに、アナログチューナから番組情報を取得できない場合であっても、ユーザがＴＶ番組のタイトルを入力する手間を軽減することが可能な録画装置を提供することを目的とする。
【課題を解決するための手段】
【００１０】
上記目的を達成するために請求項１の発明は、テレビジョン番組（以下、ＴＶ番組という）を記録可能なハードディスクと、前記ＴＶ番組を含む地上波アナログ放送を受信するアナログチューナと、前記ＴＶ番組を含む地上波デジタル放送を受信するデジタルチューナと、前記アナログチューナを用いて前記ＴＶ番組のタイトルを含む番組情報を取得するアナログ番組情報取得手段と、前記デジタルチューナを用いて前記ＴＶ番組のタイトルを含む番組情報を取得するデジタル番組情報取得手段と、ユーザが装置各部の操作、及び前記ＴＶ番組のタイトルの入力を行うためのボタン等を有する操作手段と、装置各部を制御する制御手段とを備えた録画装置において、前記アナログ番組情報取得手段、又は前記デジタル番組情報取得手段により取得された番組情報の中から前記ＴＶ番組のタイトルを取得するタイトル情報取得手段と、前記アナログチューナを用いて番組情報を取得できるか否かを判断するアナログ番組情報取得判断手段と、前記デジタルチューナを用いて番組情報を取得できるか否かを判断するデジタル番組情報取得判断手段とをさらに備え、前記制御手段は、前記アナログチューナを用いて受信した前記ＴＶ番組を前記ハードディスクに記録するときに、前記アナログ番組情報取得判断手段を用いて、前記アナログチューナから番組情報を取得できるか否かを判断し、この判断の結果、取得できない場合には、前記デジタル番組情報取得判断手段を用いて、前記デジタルチューナから番組情報を取得できるか否かを判断し、上記判断の結果、取得できる場合、前記デジタル番組情報取得手段を用いて番組情報を取得し、取得した番組情報から前記タイトル情報取得手段を用いて前記タイトルを取得し、取得した該タイトルを前記ハードディスクに記録する前記ＴＶ番組のタイトルとし、上記判断の結果、取得できない場合、前記操作手段を用いてユーザにより入力されたタイトルを、前記ハードディスクに記録する前記ＴＶ番組のタイトルとするものである。
【００１１】
請求項２に記載の発明は、テレビジョン番組（以下、ＴＶ番組という）を記録可能なハードディスクと、前記ＴＶ番組を含む地上波アナログ放送を受信するアナログチューナと、前記アナログチューナを用いて前記ＴＶ番組のタイトルを含む番組情報を取得するアナログ番組情報取得手段と、装置各部を制御する制御手段とを備え、前記ＴＶ番組を含む地上波デジタル放送を受信するデジタルチューナを利用可能な録画装置において、前記デジタルチューナを用いて前記ＴＶ番組のタイトルを含む番組情報を取得するデジタル番組情報取得手段と、前記アナログ番組情報取得手段、又は前記デジタル番組情報取得手段により取得された番組情報の中から前記ＴＶ番組のタイトル情報を取得するタイトル情報取得手段と、前記アナログチューナを用いて番組情報を取得できるか否かを判断するアナログ番組情報取得判断手段と、前記デジタルチューナを用いて番組情報を取得できるか否かを判断するデジタル番組情報取得判断手段とをさらに備え、前記制御手段は、前記アナログチューナを用いて受信した前記ＴＶ番組を前記ハードディスクに記録するときに、前記アナログ番組情報取得判断手段を用いて、前記アナログチューナから番組情報を取得できるか否かを判断し、この判断の結果、取得できない場合には、前記デジタル番組情報取得判断手段を用いて、前記デジタルチューナから番組情報を取得できるか否かを判断し、上記判断の結果、取得できる場合、前記デジタル番組情報取得手段を用いて番組情報を取得し、取得した番組情報から前記タイトル情報取得手段を用いて前記タイトルを取得し、取得した該タイトルを前記ハードディスクに記録する前記ＴＶ番組のタイトルとするものである。
【００１２】
請求項３に記載の発明は、請求項２に記載の録画装置において、ユーザが装置各部の操作、及び前記ＴＶ番組のタイトルの入力を行うためのボタン等を有する操作手段をさらに備え、前記制御手段は、前記アナログチューナを用いて受信した前記ＴＶ番組を前記ハードディスクに記録するときに、前記アナログ番組情報取得判断手段を用いて、前記アナログチューナから番組情報を取得できるか否かを判断し、この判断の結果、取得できない場合には、前記デジタル番組情報取得判断手段を用いて、前記デジタルチューナから番組情報を取得できるか否かを判断し、上記判断の結果、取得できない場合、前記操作手段を用いてユーザにより入力されたタイトルを、前記ハードディスクに記録する前記ＴＶ番組のタイトルとするものである。
【発明の効果】
【００１３】
本発明によれば、アナログチューナを用いて受信したＴＶ番組をハードディスクに記録するときに、アナログチューナから番組情報を取得できない場合であっても、デジタルチューナから番組情報を取得できる場合、デジタルチューナから取得した番組情報に含まれるタイトルを取得し、このタイトルをハードディスクに記録するＴＶ番組のタイトルとすることができる。そのため、ユーザがＴＶ番組のタイトルを入力する手間を軽減することができる。
【発明を実施するための最良の形態】
【００１４】
以下、本発明の一実施形態に係るハードディスクレコーダ（録画装置）について、図１、及び図２を参照して説明する。図１は、テレビジョン（以下、ＴＶという）番組を記録可能なハードディスクレコーダ１と、伝送ケーブル３を介してハードディスクレコーダ１と接続されるテレビ２とから構成されるＴＶ番組記録システムの外観を示す。図２は、ハードディスクレコーダ１の内部構成を示す。ハードディスクレコーダ１は、リモコン４（操作手段）により操作される。テレビ２は、映像を表示するディスプレイ２１、及び音声を出力するスピーカ２２を備えており、伝送ケーブル３を介してハードディスクレコーダ１から出力される映像をディスプレイ２１に、音声をスピーカ２２にそれぞれ出力する。リモコン４は、ハードディスクレコーダ１の装置各部の操作、ＴＶ番組のタイトルの入力、及びその他データの入力を行うためのボタン４１等を有する。
【００１５】
ハードディスクレコーダ１は、ＴＶ番組を含む地上波アナログ放送を受信するアナログチューナ１１と、ＴＶ番組を含む地上波デジタル放送を受信するデジタルチューナ１２と、ＴＶ番組を記録可能なハードディスク１４（以下、ＨＤＤという）と、ＨＤＤ１４に記録されたデータの読み取りと記録を行うためのアクセス部１５と、装置各部を制御する制御用マイコン１７と、制御用マイコン１７の動作プログラムを記憶するためのＲＯＭ１８とを備える。また、ハードディスクレコーダ１は、リモコン４から送信された信号を受光し、制御用マイコン１７へ出力するリモコン信号受信部１６と、伝送ケーブル３に映像信号、及び音声信号を出力する出力部１３とをさらに備える。
【００１６】
制御用マイコン１７は、請求項におけるアナログ番組情報取得手段、デジタル番組情報取得手段、タイトル情報取得手段、アナログ番組情報取得判断手段、及びデジタル番組情報取得判断手段として機能する。また、制御用マイコン１７は、アクセス部１５が読み取った番組を再生して出力部に送信するＴＶ番組再生手段としても機能する。
【００１７】
制御用マイコン１７は、アナログチューナ１１、又はデジタルチューナ１２を用いて受信したＴＶ番組を、アクセス部１５を介してＨＤＤ１４に記録する。また、制御用マイコン１７は、アナログチューナ１１を用いて受信したＡＤＡＭＳ−ＥＰＧ等のＴＶ番組のタイトル等を含む番組情報、及びデジタルチューナ１２を用いて受信したＡＲＩＢ規格によるＥＰＧ等のＴＶ番組のタイトル等を含む番組情報を取得し、取得した番組情報から任意の情報を取得してＨＤＤ１４に記録する。なお、ＥＰＧはＳＩ（Ｓｅｒｖｉｃｅ  Ｉｎｆｏｒｍａｔｉｏｎ：番組配列情報）の情報を利用したものである。そのため、制御用マイコン１７はＴＶ番組のタイトルを取得するとき、ＳＩに含まれるＥＩＴ（Ｅｖｅｎｔ  Ｉｎｆｏｒｍａｔｉｏｎ  Ｔａｂｌｅ）からＴＶ番組のタイトルを取得する。
【００１８】
次に、アナログチューナ１１を用いて受信したＴＶ番組をＨＤＤ１４に記録するときに、記録するＴＶ番組にタイトルを付加するときの制御用マイコン１８の処理について、図３を参照して説明する。まず、制御用マイコン１７は、アナログチューナ１１から番組情報を取得できるか否かを判断し（Ｓ１）、取得できると判断した場合（Ｓ２でＹＥＳ）、アナログチューナ１１を用いて番組情報を取得する（Ｓ３）。そして、この番組情報に含まれるＴＶ番組のタイトルを取得し（Ｓ８）、取得したタイトルをＨＤＤ１４に記録するＴＶ番組に付加する（Ｓ９）。
【００１９】
一方、上記Ｓ１の処理において、取得できないと判断した場合（Ｓ２でＮＯ）、制御用マイコン１７は、デジタルチューナ１２を用いて番組情報を取得できるか否か判断し（Ｓ４）、取得できると判断した場合（Ｓ５でＹＥＳ）、デジタルチューナ１２を用いて番組情報を取得する（Ｓ６）。そして上述したＳ８、及びＳ９の処理を行う。なお、一般的に、地上波アナログ放送のＴＶ番組と、地上波デジタル放送のＴＶ番組とは、同じ時間帯に、同じ内容のＴＶ番組が放送されている。そのため、同じ時間帯にアナログチューナ１１、及びデジタルチューナ１２から受信した番組情報には、同じＴＶ番組のタイトルが含まれている。
【００２０】
一方、上記Ｓ４の処理において、取得できないと判断した場合（Ｓ５でＮＯ）、ユーザがリモコン４のボタン４１を操作することにより、ＴＶ番組のタイトルを入力する（Ｓ７）。そして、制御用マイコン１７は、ユーザにより入力されたＴＶ番組のタイトルを取得した後（Ｓ８）、取得したタイトルをＨＤＤ１４に記録するＴＶ番組に付加する（Ｓ９）。
【００２１】
上記のように、本実施形態に係るハードディスクレコーダ１によれば、アナログチューナ１１を用いて受信したＴＶ番組をＨＤＤ１４に記録するときに、アナログチューナ１１から番組情報を取得できない場合であっても、デジタルチューナ１２から番組情報を取得できる場合、デジタルチューナ１２から取得した番組情報に含まれるタイトルを取得し、このタイトルをＨＤＤ１４に記録するＴＶ番組のタイトルとすることができる。そのため、ユーザが、ＴＶ番組のタイトルを入力する手間を軽減することができる。
【００２２】
なお、本発明は、上記実施形態の構成に限られず、発明の趣旨を変更しない範囲で種々の変形が可能である。例えば、上記実施形態では、アナログチューナ１１を用いて番組情報を取得できない場合でも、デジタルチューナ１２から番組情報を取得できる場合、デジタルチューナ１２から取得した番組情報に含まれるＴＶ番組のタイトルを自動的にＨＤＤ１４に記録するＴＶ番組のタイトルとしたが、これに限られず、制御用マイコン１７がＴＶ番組に該当するタイトルを一意に決めることができない場合、ユーザがリモコンを操作することにより番組情報に含まれるタイトルから所望のタイトルを選択できるものであってもよい。また、該当のＴＶ番組と同一時間帯に放送されている地上波デジタル放送の各チャネルのＴＶ番組の中から、ユーザがリモコンを操作することにより所望のタイトルを選択できるようにしてもよい。
【００２３】
また、上記実施形態では、ハードディスクレコーダ１とテレビ２とが伝送ケーブル３を介して接続されている例を示したが、これに限られず、ハードディスクレコーダ内蔵型テレビであってもよい。また、上記実施形態では、ＴＶ番組をＨＤＤ１４に記録する例を示したが、これに限られず、ブルーレイディスク（Ｂｌｕ−ｒａｙ  Ｄｉｓｃ）、ＨＤ  ＤＶＤ（Ｈｉｇｈ  Ｄｅｆｉｎｉｔｉｏｎ  ＤＶＤ）、ＤＶＤ−ＲＷ（Ｄｉｇｉｔａｌ  Ｖｅｒｓａｔｉｌｅ  Ｄｉｓｃ−ＲｅＷｒｉｔａｂｌｅ）、ＤＶＤ−Ｒ（Ｄｉｇｉｔａｌ  Ｖｅｒｓａｔｉｌｅ  Ｄｉｓｃ−Ｒｅｃｏｒｄａｂｌｅ）等の記録媒体にＴＶ番組を記録してもよい。
【図面の簡単な説明】
【００２４】
【図１】本発明の一実施形態に係るハードディスクレコーダと、このハードディスクレコーダに接続されたテレビの外観を示す斜視図。
【図２】上記ハードディスクレコーダの内部構成を示すブロック図。
【図３】上記ハードディスクレコーダにアナログチューナを用いて受信したＴＶ番組を記録するときの処理を示すフローチャート。
【符号の説明】
【００２５】
１  ハードディスクレコーダ（録画装置）
４  リモコン（操作手段）
１１  アナログチューナ
１２  デジタルチューナ
１４  ハードディスク
１７  制御用マイコン（制御手段、アナログ番組情報取得手段、デジタル番組情報取得手段、タイトル情報取得手段、アナログ番組情報取得判断手段、及びデジタル番組情報取得判断手段）
４１  ボタン
【図１】
2007312073.tif 000003
【図２】
2007312073.tif 000004
【図３】
2007312073.tif 000005